(57)【要約】【課題】  負荷開閉器と接地開閉器の手動操作を一つの操作軸で行え、鎖錠機構の構造が簡易な開閉器の手動操作装置を提供する。  【解決手段】  本発明の開閉器の手動操作装置は、負荷開閉器と接地開閉器の駆動機構の駆動軸１、２に結合された駆動レバー１a、２aと、駆動レバーの先端部にそれぞれ回転可能に取り付けられたピン１ｂ、２ｂと、駆動レバー１a、２aの中間に位置し負荷開閉器と接地開閉器に共通する手動操作軸３と、手動操作軸３に一体に結合された手動操作レバー３aと、手動操作レバーの端部に回転可能に軸支され、かつ先端部に前記二つの駆動レバーのピンと連結できるよう二箇所の切欠部を設けたリンク４と、リンクの基部側に結合されたピン４ａと、独立して回転可能に支持された操作切換軸５と、操作切換軸５に結合された操作切換レバー５aよりなる。【選択図】    図１
2006202549.tif 000002
【特許請求の範囲】
【請求項１】
筐体の外部に設けた操作桿を手動で操作して前記操作桿に固定された手動操作軸を回転することにより、前記筐体内部の前記手動操作軸に連結した駆動機構を駆動させ負荷開閉器または接地開閉器を開閉する開閉器の手動操作装置において、
前記負荷開閉器および前記接地開閉器の駆動機構の駆動軸にそれぞれ結合された駆動レバーと、前記二つの駆動レバーの先端部にそれぞれ回転可能に取り付けられたピンと、前記二つの駆動軸の中間位置に設けられた前記手動操作軸と、前記手動操作軸に一体に結合された手動操作レバーと、前記手動操作レバーの端部に回転可能に軸支され、かつその先端部に前記二つの駆動レバーのピンと連結できるよう二箇所の切欠部を設けたリンクと、前記リンクの基部側に結合されたピンと、前記手動操作レバー先端の移動位置近傍に独立して回転可能に支持された操作切換軸と、前記操作切換軸に結合された操作切換レバーとからなり、前記操作切換レバーにより前記両開閉器のいずれかの駆動軸に切換え、前記手動操作レバーと前記リンクにより前記いずれかの開閉器を開閉することを特徴とする開閉器の手動操作装置。
【請求項２】
前記操作切換軸は、前記手動操作レバーが所定の位置まで回転すると前記手動操作レバーに設けたピンと干渉して回転を止める鎖錠機構を設けたことを特徴とする請求項１記載の開閉器の手動操作装置。
【発明の詳細な説明】
【技術分野】
【０００１】
本発明は、筐体の内部に負荷開閉器と接地開閉器を備えた開閉器の手動操作装置に関する。
【背景技術】
【０００２】
従来の開閉器の手動操作装置を図５に示す。図５（ａ）は負荷開閉器が開、接地開閉器が開の状態を示す図、図５（ｂ）は負荷開閉器が閉、接地開閉器が開の状態を示す図、図５（ｃ）は、負荷開閉器が開、接地開閉器が閉の状態を示す図である。
図において、５０は負荷開閉器手動操作軸、５０aはピン、５１は接地開閉器手動操作軸、５２はインタロックレバーである。手動操作軸のいずれか一方に、一端をピン５０aで固定し他端に長溝で、かつ端部に長溝の径よりも大きな径の穴を形成したカムを有するインタロックレバー５２を取付けてある。接地開閉器手動操作軸５１が、穴の位置にあるときのみ回動し、長溝の位置にあるときは長径部が長溝に衝接して回動が阻止されることにより、負荷開閉器と接地開閉器のいずれか一方の開閉器が閉状態のときには、他方の開閉器の閉操作を阻止する。負荷開閉器手動操作軸５０を時計方向に回転操作すると負荷開閉器が閉し、反時計方向に操作すると開状態となる。また同様に接地開閉器手動操作軸５１を時計方向に回転操作すると接地開閉器が閉状態となり、反時計方向に操作すると開状態となる。
このように、従来の開閉器の手動操作装置は、負荷開閉器と接地開閉器のそれぞれの手動操作軸を操作してそれぞれの開閉器の開閉操作をするものである（例えば、特許文献１参照）。
【特許文献１】実用新案登録公報  第２５９３３０６号
【発明の開示】
【発明が解決しようとする課題】
【０００３】
しかしながら、従来の開閉器の手動操作装置は、負荷開閉器と接地開閉器の手動操作軸が独立しており、操作時にそれぞれ別の軸で操作する必要があるため操作が煩雑となり、また一方の開閉器が閉状態の時にもう一方の開閉器を誤って閉操作できないように、両操作軸間にわたって誤操作防止の鎖錠装置を設ける必要があるため、両操作軸の構成が煩雑となっていた。
本発明はこのような問題点に鑑みてなされたものであり、負荷開閉器と接地開閉器の手動操作を一つの操作軸で行えるようにするとともに、鎖錠機構の構造を簡易にすることができる開閉器の手動操作装置を提供することを目的とする。
【課題を解決するための手段】
【０００４】
上記問題を解決するため、本発明は、次のように構成したものである。
請求項１に記載の発明は、筐体の外部に設けた操作桿を手動で操作して前記操作桿に固定された手動操作軸を回転することにより、前記筐体内部の前記手動操作軸に連結した駆動機構を駆動させ負荷開閉器または接地開閉器を開閉する開閉器の手動操作装置において、
前記負荷開閉器および前記接地開閉器の駆動機構の駆動軸にそれぞれ結合された駆動レバーと、前記二つの駆動レバーの先端部にそれぞれ回転可能に取り付けられたピンと、前記二つの駆動軸の中間位置に設けられた前記手動操作軸と、前記手動操作軸に一体に結合された手動操作レバーと、前記手動操作レバーの端部に回転可能に軸支され、かつその先端部に前記二つの駆動レバーのピンと連結できるよう二箇所の切欠部を設けたリンクと、前記リンクの基部側に結合されたピンと、前記手動操作レバー先端の移動位置近傍に独立して回転可能に支持された操作切換軸と、前記操作切換軸に結合された操作切換レバーとからなり、前記操作切換レバーにより前記両開閉器のいずれかの駆動軸に切換え、前記手動操作レバーと前記リンクにより前記いずれかの開閉器を開閉するものである。
請求項２に記載の発明は、前記手動操作レバーが所定の位置まで回転すると前記操作切換軸が前記手動操作レバーのピンと干渉して回転を止める鎖錠機構を設けたものである。
【発明の効果】
【０００５】
本発明によれば、負荷開閉器と接地開閉器の駆動機構の駆動軸に結合された駆動レバーと、二つの駆動レバーの中間に設けた手動操作軸および手動操作レバーと、先端部に前記二つの駆動レバーのピンと連結できるよう二箇所の切欠部を設けたリンクと、独立して回転可能に支持された操作切換軸と、操作切換軸と一体に結合された操作切換レバーとを設けたので、負荷開閉器と接地開閉器の手動操作を一つの操作軸で行うことができ、かつ鎖錠機構の構造が簡易な開閉器の手動操作装置が得られる。
【発明を実施するための最良の形態】
【０００６】
以下、本発明の実施の形態について図に基づいて説明する。
図１から図４は、本発明の開閉器の手動操作装置を示す正面図である。
図において、１は負荷開閉器駆動軸、１aは負荷開閉器駆動レバー、１bは負荷開閉器駆動レバーのピン、２は接地開閉器駆動軸、２aは接地開閉器駆動レバー、２bは接地開閉器駆動レバーのピン、３は手動操作軸、３aは手動操作レバー、３bは手動操作レバーのピン、４はリンク、４aはリンクのピン、５は操作切換軸、５aは操作切換レバー、６はストップピンである。
負荷開閉器駆動レバー１aおよび接地開閉器駆動レバー２aはそれぞれ負荷開閉器と接地開閉器の駆動機構の駆動軸に結合される。負荷開閉器駆動レバー１aは時計方向に、接地開閉器駆動レバー２aは反時計方向に一定量回転することによりそれぞれの駆動軸に連結された開閉器を閉操作でき、それぞれその逆方向に一定量回転することにより、それぞれの駆動軸に連結された開閉器を開操作できるように駆動機構が構成されている。負荷開閉器駆動レバーのピン１bおよび接地開閉器駆動レバーのピン２bは負荷開閉器駆動レバー１aおよび接地開閉器駆動レバー２aに回転可能に取り付けられている。手動操作レバー３aは手動操作軸３に一体に結合されている。手動操作レバーのピン３bは手動操作レバー３aに回転可能に取り付けられている。リンク４は手動操作レバーのピン３bの周りに回転可能に取り付けられ、先端部に負荷開閉器駆動レバーのピン１bおよび接地開閉器駆動レバーのピン２bと連結できるように両側に切り欠きを設けている。リンクのピン４aはリンク４と一体に結合される。操作切換軸５は独立して回転可能に支持されている。操作切換レバー５aは操作切換軸５と一体に結合され、図１の位置においては回転時にリンクのピン４ａとかみ合うよう切り欠きを設け、また図２の位置においては回転時に先端部が手動操作レバーのピン３ｂと干渉するような形状とした。ストップピン６は操作切換レバー５ａを所定の位置で止めるものである。
本発明が特許文献１と異なる部分は、負荷開閉器と接地開閉器の駆動軸の中間に両者に共通の手動操作軸と操作切換軸を設け、その操作切換軸に鎖錠機構を設けた部分である。
つぎに、開閉器の手動操作装置の動作について図１から図４を参照しながら説明する。
図１は両開閉器とも開であり操作可能状態を示している。図２は負荷開閉器が閉、接地開閉器が開の状態、図３は両開閉器とも開、図４は負荷開閉器が開、接地開閉器が閉の状態をそれぞれ示している。
まず、図１の状態において手動操作軸３を時計回りに一定量回転させると、リンク４の切り欠き部が負荷開閉器駆動レバー１aの負荷開閉器駆動レバーのピン１bを押す。これにより負荷開閉器駆動レバー１aを時計方向に回転させて負荷開閉器駆動レバー１aに結合された駆動機構を操作し負荷開閉器は図２に示す閉の状態になる。図２の状態より手動操作軸３を反時計方向に回転させると、上記と逆の動作でリンク４の切り欠き部が負荷開閉器駆動レバー１ａのピン１ｂを押す。そして負荷開閉器駆動レバー１ａを反時計方向に回転させて負荷開閉器駆動レバー１ａに結合された駆動機構を操作すると負荷開閉器は図１に示す開状態になる。
図１の状態より接地開閉器を操作する場合には、まず操作切換軸５を反時計方向に１８０度回転することにより、操作切換軸５に一体の操作切換レバー５aが回転し、操作切換レバー５aの切り欠きがリンク４に一体のリンクのピン４ａを押すことにより、リンク４は手動操作レバーのピン３ｂを中心に回転して、１８０度回転した位置でリンク４の切り欠きが接地開閉器駆動レバー２ａの接地開閉器駆動レバーのピン２ｂとかみ合い、図３に示す状態になる。
つぎに、手動操作軸３を反時計方向に一定量回転させると、リンク４の切り欠き部が接地開閉器駆動レバー２ａの接地開閉器駆動レバーのピン２ｂを押すことにより、接地開閉器駆動レバー２ａを反時計方向に回転させて接地開閉器駆動レバー２ａに結合された駆動機構を操作し接地開閉器は図４に示す閉状態になる。
図４の状態より手動操作軸３を時計方向に回転することにより、リンク４の切り欠き部が接地開閉器駆動レバー２ａの接地開閉器駆動レバーのピン２ｂを押して接地開閉器駆動レバー２ａを時計方向に回転させて接地開閉器駆動レバー２ａに結合された駆動機構を操作し接地開閉器は図３に示す開の状態になる。
つぎに、開閉器の誤操作を防止する鎖錠機構の動作を説明する。
図２に示す負荷開閉器が閉の状態において、誤って接地開閉器の操作を試みようとして操作切換軸５を反時計方向に回転しようとした場合、操作切換軸５に結合された操作切換レバー５aは手動操作レバーのピン３ｂと干渉してそれ以上操作切換軸５を回転することができず、図３に示す接地開閉器を操作できる状態に移行できないため接地操作をすることができない。
また、図４に示す接地開閉器閉状態において、誤って負荷開閉器操作を試みようとして操作切換軸５を時計方向に回転しようとした場合、操作切換軸５に結合された操作切換レバー５aは手動操作レバーのピン３ｂと干渉してそれ以上操作切換軸５を回転することができず、図１に示す負荷開閉器を操作できる状態に移行できないため負荷開閉操作をすることができない。
以上のように誤った操作を防止することができる。
負荷開閉器と接地開閉器の手動操作を一つの操作軸で行うので、開閉器の手動操作装置を簡易にすることができる。
また、操作切換軸に誤操作を防止する機能を付加した操作切換レバーを備えたので、鎖錠機構を簡易にすることができる。
【図面の簡単な説明】
【０００７】
【図１】本発明の実施例を示す開閉器の手動操作装置の正面図（負荷開閉器、接地開閉器とも開の状態）
【図２】本発明の実施例を示す開閉器の手動操作装置の正面図（負荷開閉器が閉、接地開閉器が開の状態）
【図３】本発明の実施例を示す開閉器の手動操作装置の正面図（負荷開閉器、接地開閉器とも開の状態）
【図４】本発明の実施例を示す開閉器の手動操作装置の正面図（負荷開閉器が開、接地開閉器が閉の状態）
【図５】従来の開閉器の手動操作装置を示す正面図で、（ａ）は負荷開閉器が開、接地開閉器が開の状態を示す図、（ｂ）は負荷開閉器が閉、接地開閉器が開の状態を示す図、（ｃ）は負荷開閉器が開、接地開閉器が閉の状態を示す図
【符号の説明】
【０００８】
１ 負荷開閉器駆動軸
１a 負荷開閉器駆動レバー
１b 負荷開閉器駆動レバーのピン
２ 接地開閉器駆動軸
２a 接地開閉器駆動レバー
２b 接地開閉器駆動レバーのピン
３ 手動操作軸
３a 手動操作レバー
３b 手動操作レバーのピン
４ リンク
４a リンクのピン
５ 操作切換軸
５a 操作切換レバー
６ ストップピン
50 負荷開閉器手動操作軸
50a ピン
51 接地開閉器手動操作軸
52 インタロックレバー
【図１】
2006202549.tif 000003
【図２】
2006202549.tif 000004
【図３】
2006202549.tif 000005
【図４】
2006202549.tif 000006
【図５】
2006202549.tif 000007